(57)【要約】      （修正有）【課題】カム機構を介してトップシール装置に連係されるコンベアユニットの支持部材への着脱を容易に行うことができる搬送ベルト装置を提供する。【解決手段】トップシール装置に近接して配置される搬送ベルト装置であり、搬送面を構成するエンドレスベルト３５を備えるコンベアユニット１１と、そのコンベアユニットを着脱自在に支持する支持部材を備える。トップシール装置の左右両側に奥側から手前に向けて突出するカムフォロアを設け、コンベアユニットの左右両側に設けたカム板４０は、カムフォロアに対して前側から着脱可能とする。コンベアユニットに設けた連結プレートの切り込み部４３を、支持部材に設けたガイドロッド２０に装着し、搬送方向に対して直交する方向にガイドされながら往復移動可能とし、コンベアユニットにカム板を取り付けた状態のまま、カム板をカムフォロアに対して着脱可能な構成とした。【選択図】図５
2020050454.tif 000002
【特許請求の範囲】
【請求項１】
包装フィルムを搬送方向に対して直交する方向にシール・カットするトップシール装置の上流側及びまたは下流側に配置される搬送ベルト装置であって、
搬送面を構成するエンドレスベルトを備えるコンベアユニットと、
前記コンベアユニットを着脱自在に支持する支持部材と、を備え、
前記コンベアユニットは、前記トップシール装置のトップシーラとカム機構を介して連係され、前記トップシーラの動きに合わせて前記トップシール装置側の先端位置が移動する移動機構を備え、
前記カム機構は、前記トップシーラ側に設けたカムフォロアと、前記コンベアユニット側に設けたカム板を備え、
前記コンベアユニットを前記支持部材に着脱する際、前記コンベアユニットに前記カム板を取り付けた状態のまま、前記カム板を前記カムフォロアに対して着脱可能な構成としたことを特徴とする搬送ベルト装置。
【請求項２】
前記支持部材は、前記搬送方向に対して直交する方向に延びるガイド部材を備え、
前記コンベアユニットは、前記ガイド部材に沿って前記搬送方向に対して直交する方向に往復移動する連結部材を備え、
前記コンベアユニットに前記カム板を取り付けた状態のまま、前記連結部材が、前記ガイド部材に沿って往復移動し、前記ガイド部材に対して着脱可能な構成にしたことを特徴とする請求項１に記載の搬送ベルト装置。
【請求項３】
前記連結部材は、運転時に位置する第一位置と、その第一位置と異なる第二位置との間で前記往復移動を可能とし、
前記第一位置では前記連結部材と前記ガイド部材は離脱できず、前記第二位置では前記連結部材と前記ガイド部材は離脱できるように構成したことを特徴とする請求項２に記載の搬送ベルト装置。
【請求項４】
前記連結部材が前記第一位置に位置した状態で、前記連結部材が前記搬送方向に対して直交する方向に移動できないようにする固定する固定手段を備えたことを特徴とする請求項３に記載の搬送ベルト装置。
【請求項５】
前記ガイド部材は、平行に配置された複数のガイドロッドを備え、
前記連結部材は、前記搬送方向に対して直交する方向に沿って配置される複数の連結プレートを備え、
前記連結プレートには、周縁に開口し、前記複数のガイドロッドにそれぞれ符合する切り込み部を有することを特徴とする請求項２から４のいずれか１項に記載の搬送ベルト装置。
【請求項６】
前記カム機構は、前記搬送方向の左右両側に備え、
その左右両側に配置される前記カム機構を構成するそれぞれの前記カムフォロアは、前記カム板に対して同一方向から着脱するように構成したことを特徴とする請求項１〜５のいずれか１項に記載の搬送ベルト装置。
【請求項７】
前記コンベアユニットの前記トップシーラ側の先端部を、前記トップシーラの移動と非同期に前後方向に移動可能にするガイド手段を備えたことを特徴とする請求項１〜６のいずれか１項に記載の搬送ベルト装置。
【発明の詳細な説明】
【技術分野】
【０００１】
本発明は、搬送ベルト装置に関するもので、例えば包装機のボックスモーションタイプのトップシール装置に近接して配置され、トップシール装置側の先端位置が移動する機構を備えた搬送ベルト装置に関する。
【背景技術】
【０００２】
例えば横ピロー包装機は、原反ロールに巻き取られた帯状の包装フィルムを連続して製袋器に供給し、その製袋器を通過させる際に筒状に製袋する。そして、製袋器の下流側に配置されたセンターシール装置は、製袋器を通して筒状に製袋されて重ね合わされたフィルム重合端をシールする。このシールにより筒状フィルムが形成される。また、この製袋器の上流側には製品搬送供給装置を配置し、その製品搬送供給装置から所定間隔毎に搬送される製品が、製袋器内に供給される。これにより、製品が製袋器内を通過すると、筒状の包装フィルム内に所定間隔毎に収納されることになり、その製品は筒状に製袋された包装フィルムとともに搬送される。
【０００３】
筒状に製袋された包装フィルムの先頭部分は、ピロー包装機の搬出側に配置されたトップシール装置内を通過し、そのトップシール装置の下流側に突出する。そして、トップシール装置は、その先頭部分に収納された製品と、後続の製品との間のフィルム部位を、包装フィルムの進行方向に対して直交する方向、つまり、横断する方向にシールすると共にカットする。これにより、包装フィルムの先頭部分は後続から分離され、包装体が製造される。包装体は、トップシール装置の下流側に配置される搬出コンベアにより搬送される。
【０００４】
上記のトップシール装置の一形態として、筒状フィルムを挟んで上下に配置される一対のトップシーラ（カッター刃が内蔵されている）と、そのトップシーラのシール面を対向させた状態を保持しながらそのトップシーラを所定の軌跡で移動させる駆動機構とを備えたものがある。そして、上下のトップシーラは、筒状フィルムの所定位置を上下から挟み込んだ状態で一定量だけ筒状フィルムとともに前進移動する。これにより、筒状フィルムの挟まれた部位が熱シールされるとともに、カットされる。この種のエンドシール装置のタイプは、ボックスモーションタイプとも称されている。係るボックスモーションタイプのトップシール装置（エンドシール装置とも称される）としては、例えば、特許文献１に開示されたものがある。
【０００５】
そして、ボックスモーションタイプのトップシール装置は、トップシーラが前後方向にも移動することから、渡り機構を構成する搬送ベルト装置も、搬送ベルトのトップシーラ側の先端部位が、トップシーラの前後方向の移動に追従して前後進移動する機構を備えている。これにより、トップシーラと、搬送ベルトとの間が大きく開いてしまうのが抑制される。
【０００６】
係る前後進移動する機構は、例えば特許文献１に開示されるように、搬送ベルトの一端を支持する支持ローラとトップシーラとの間を、カム板とそのカム板のカム溝に挿入するカムフォロア（特許文献１では「ローラ」）とにより連携し、トップシーラの前後方向の移動にカム板とカムフォロアは上下方向の相対位置を変えることなく一体となって前後進移動することで、支持ローラとトップシーラとの相対位置関係すなわち離反距離を維持しながら前後進移動する。また、トップシーラの昇降に追従してカムフォロアがカム溝内を相対的に上下方向に移動することで、支持ローラをトップシール装置に対して相対的に前後進移動させ、例えば上下一対のトップシーラが離反した状態では、上流側と下流側に配置されるそれぞれの支持ローラが互いに接近し、一対のトップシーラが接近してきた状態では両支持ローラが互いに離反して両者間に空間を形成し、一対のトップシーラのシール面同士が接触可能となるようにしている。さらに、そのカム板（カム溝）とカムフォロアの連携機構は、支持ローラ（搬送ベルト）の左右両側に配置する。そして、各カムフォロアは、それぞれカム板の外側からカム溝内に挿入するようにしている。
【先行技術文献】
【特許文献】
【０００７】
【特許文献１】特許第５０３８８４５号公報
【特許文献２】特許第６０４３１９９号公報
【発明の概要】
【発明が解決しようとする課題】
【０００８】
ボックスモーションタイプのトップシール装置に近接して配置される搬送ベルト装置は、上述したように、トップシーラの動きに合わせて搬送ベルトのトップシール装置側の位置を移動させるため、複雑なスライド機構をとり、しかも、カム板とカムフォロアにより、トップシーラ側と搬送ベルト（支持ローラ）側を連結した構成を採っている。そのため、例えば搬送ベルトの損傷等に伴うベルト交換作業や、トップシール装置並びに搬送ベルト装置の清掃・メンテナンスを行う場合、例えば、カム板等を取り外して分解し、トップシール装置側と搬送ベルト装置側の連係を解除し、さらに、複雑なスライド機構で掛け渡された搬送ベルトを取り外す作業があり、非常に煩雑となる。
【０００９】
また、このよう分解して取り外した場合、次に搬送ベルト装置を取り付けた際に、トップシール装置との相対位置関係が所望の状態にできなかったり、仮に所望の状態できたとしてもその設定が煩雑であったりする。
【００１０】
また、搬送ベルトを掛け回す係る複雑なスライド機構から当該搬送ベルトを取り外す従来技術としては、例えば特許文献２に開示されたシャトルコンベアがある。この特許文献２の構成を採ると、搬送ベルトを適宜位置に配置したローラに掛け回して構成されるユニットから搬送ベルトを容易に取り外す構成の一つの解決策となる。しかし、カム板とカムフォロアを用いて連結されたトップシール装置と搬送ベルト装置から、搬送ベルト装置を取り外すことについては上述した課題が残る。
【００１１】
さらに特許文献１に開示された装置では、搬送ベルトの両側に配置されるカムフォロアが、互いに逆向きでカム板のカム溝に挿入されていることもあり、カム板とカムフォロアで連携された状態では搬送ベルト装置をトップシール装置に対して相対的に移動し、離反させることはできない。そのため、例えばネジ止めされているカム板を装置から取り外し、連携状態を解除する必要があり、煩雑さが増す。
【００１２】
上述した課題はそれぞれ独立したものとして記載しているものであり、本発明は、必ずしも記載した課題の全てを解決できる必要はなく、少なくとも一つの課題が解決できれば良い。またこの課題を解決するための構成についても単独で分割出願・補正等により権利取得する意思を有する。
【課題を解決するための手段】
【００１３】
上述した課題を解決するために、本発明の搬送ベルト装置は、（１）包装フィルムを搬送方向に対して直交する方向にシール・カットするトップシール装置の上流側及びまたは下流側に配置される搬送ベルト装置であって、搬送面を構成するエンドレスベルトを備えるコンベアユニットと、前記コンベアユニットを着脱自在に支持する支持部材と、を備え、前記コンベアユニットは、前記トップシール装置のトップシーラとカム機構を介して連係され、前記トップシーラの動きに合わせて前記トップシール装置側の先端位置が移動する移動機構を備え、前記カム機構は、前記トップシーラ側に設けたカムフォロアと、前記コンベアユニット側に設けたカム板を備え、前記コンベアユニットを前記支持部材に着脱する際、前記コンベアユニットに前記カム板を取り付けた状態のまま、前記カム板を前記カムフォロアに対して着脱可能な構成とした。
【００１４】
本発明によれば、コンベアユニットに、トップシール装置と連係するカム機構を構成するカム板が設けられており、コンベアユニットにカム板を取り付けた状態のまま、カム板をカムフォロアに対して着脱可能な構成としているため、例えば、支持部材の上にセットされ、カム機構を介してトップシール装置ともつながっている状態から、カム板を取り付けた状態のままコンベアユニットを所定の方向に移動し、カム板からカムフォロアを離脱させ、カム機構によるコンベアユニットとトップシール装置との連係を解除することができる。よって、固定したカム板をコンベアユニットから取り外すなどの処理をすることなく、コンベアユニットを支持部材から取り外すことができる。また、逆の手順により、支持部材にコンベアユニットを装着し、カム板とカムフォロアを接続させてコンベアユニットに、トップシール装置と連係することができる。
【００１５】
（２）前記支持部材は、前記搬送方向に対して直交する方向に延びるガイド部材を備え、前記コンベアユニットは、前記ガイド部材に沿って前記搬送方向に対して直交する方向に往復移動する連結部材を備え、前記コンベアユニットに前記カム板を取り付けた状態のまま、前記連結部材が、前記ガイド部材に沿って往復移動し、前記ガイド部材に対して着脱可能な構成にするとよい。このようにすると、コンベアユニットをガイド部材に沿って安定した姿勢で移動させ、カム板とカムフォロアの着脱を簡単かつ正確に行える。
【００１６】
（３）前記連結部材は、運転時に位置する第一位置と、その第一位置と異なる第二位置との間で前記往復移動を可能とし、前記第一位置では前記連結部材と前記ガイド部材は離脱できず、前記第二位置では前記連結部材と前記ガイド部材は離脱できるように構成するとよい。このようにすると、コンベアユニットをガイド部材に沿って搬送方向に対して直交方向に移動し、第二位置で簡単にガイド部材から取り外すことができる。また、連結部材が第一位置に位置した状態では、連結部材はガイド部材から離脱しないので、運転時は安定して支持される。
【００１７】
（４）前記連結部材が前記第一位置に位置した状態で、前記連結部材が前記搬送方向に対して直交する方向に移動できないようにする固定する固定手段を備えるとよい。このようにすると、固定手段により連結部材が第一位置に保持されるので、運転中にコンベアユニットをより安定して支持できる。固定手段は、実施形態では、ロック機構に対応する。
【００１８】
（５）前記ガイド部材は、平行に配置された複数のガイドロッドを備え、前記連結部材は、前記搬送方向に対して直交する方向に沿って配置される複数の連結プレートを備え、前記連結プレートには、周縁に開口し、前記複数のガイドロッドにそれぞれ符合する切り込み部を有するとよい。このようにすると、簡単な構成で連結プレートをガイドロッドに着脱したり、ガイドロッドに沿って移動したりすることが行える。周縁は、実施形態では、下端縁であるが、上下方向に延びる側縁でもよい。但し、下端縁とするほうが、着脱の操作が容易に行えるので好ましい。
【００１９】
（６）前記カム機構は、前記搬送方向の左右両側に備え、その左右両側に配置される前記カム機構を構成するそれぞれのカムフォロアは、前記カム板に対して同一方向から着脱するように構成するとよい。このようにすると、コンベアユニットは、搬送方向の左右両側に設けたカム機構により、トップシール装置としっかりと連係し、安定した姿勢で運転動作し、着脱も容易に行える。
【００２０】
（７）前記コンベアユニットの前記トップシーラ側の先端部を、前記トップシーラの移動と非同期に前後方向に移動可能にするガイド手段を備えるとよい。このようにすると、例えば、上下のトップシーラが離反した所定の位置で一時停止させ、その状態でガイド手段により、トップシーラの移動と非同期にコンベアユニットの先端部側をトップシーラから離反する方向に移動させることで、トップシーラのシール面の周囲に清掃時における充分なスペースが確保でき、安全に容易にトップシーラのシール面の清掃が行える。そして、清掃時間の短縮により、機械停止させている時間が短くなり、生産性が向上する。清掃終了後は、上記と逆に、コンベアユニットの先端部側をトップシーラに接近する方向に移動させ、通常の運転動作位置に復帰させる。そしてコンベアユニットをトップシーラの移動に同期して移動させ、所望の搬送処理を行う。ガイド手段は、実施形態では、第一スライダ３８と第一ガイドレール３９や、第二スライダ６８と第二ガイドレール６９等に対応する。
【発明の効果】
【００２１】
本発明によれば、カム板をコンベアユニットから取り外すことなく、カム板とカムフォロアを分離でき、コンベアユニットを支持部材から取り外すことができ、カム板をコンベアユニットから取り外すことなく、コンベアユニットを支持部材に装着するとともにカム板とカムフォロアを接続することができ、コンベアユニットの支持部材への着脱を容易に行うことができる。
【図面の簡単な説明】
【００２２】
【図１】本発明に係る搬送ベルト装置の好適な一実施形態を示す正面図である。
【図２】その支持部材の図示を省略した斜視図である。
【図３】トップシール装置とそれに接続される支持部材を示す斜視図である。
【図４】（ａ）は第一コンベアユニット１１と第一支持部材１３を示す正面図であり、（ｂ）はその側面図である。
【図５】（ａ）は第一コンベアユニット１１と第一支持部材１３を示す斜視図であり、（ｂ），（ｃ）は固定手段たるロック機構を示す図である。
【図６】第一コンベアユニット１１と第一支持部材１３の着脱工程を説明する図である。
【発明を実施するための形態】
【００２３】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００２４】
本実施形態の搬送ベルト装置１０は、包装機本体のトップシール装置１の上流側に配置される第一コンベアユニット１１と、トップシール装置１の下流側に配置される第二コンベアユニット１２と、第一コンベアユニット１１を着脱自在に支持する第一支持部材１３と、第二コンベアユニット１２を着脱自在に支持する第二支持部材１４とを備え、第一コンベアユニット１１と第二コンベアユニット１２は、それぞれカム機構からなる連係部材１５を介してトップシール装置１に接続される。
【００２５】
図３に示すように、トップシール装置１は、図示省略する被包装物を内包した状態で水平方向に搬送される筒状フィルムの搬送ラインを挟んで上下に対向配置されるトップシーラ２ａ，２ｂを備える。この上下一対のトップシーラ２ａ，２ｂは、それぞれ上側シーラ取付台３ａの下面並びに下側シーラ取付台３ｂの上面に取り付けられる。そして、上側シーラ取付台３ａと、下側シーラ取付台３ｂの左右両端は、トップシール装置１の周囲に配置する機枠４の両側面に連結した側壁５に取り付けた駆動機構６に連係される。トップシーラ２ａ，２ｂは、この駆動機構６の駆動を受けて、互いのシール面を対向させた状態を保持しながらそれぞれを所定の軌跡で公転移動する。
【００２６】
下側シーラ取付台３ｂには、フィルム搬送方向に対して直交する方向の左右両端近傍に、それぞれ第一取付板１６と第二取付板１７を取り付ける。第一取付板１６は、フィルム搬送方向の右側であって包装機本体の手前側に位置し、第二取付板１７は、フィルム搬送方向の左側であって包装機本体の奥側に位置する。そして、第一取付板１６，第二取付板１７は、ともに細長な帯板状で、フィルム搬送方向に沿って上流側と下流側のそれぞれに向かって延びるように配置する。そして、第一取付板１６の前面１６ａ、すなわち、フィルム搬送方向の右側で包装機本体の手前側の面の上流側先端に第一カムフォロア１８ａを取り付け、その前面１６ａの下流側先端に第二カムフォロア１８ｂを取り付ける。また同様に、第二取付板１７の前面１７ａ、すなわち、フィルム搬送方向の右側で包装機本体の手前側の面の上流側先端に第一カムフォロア１８ａを取り付け、その前面１７ａの下流側先端に第二カムフォロア１８ｂを取り付ける。このように、本実施形態では、搬送ベルト装置１０とトップシール装置１を連係する連係部材１５を構成するカムフォロア１８ａ，１８ｂを、トップシール装置１の左右両側に配置し、さらに、いずれも第一取付板１６，第二取付板１７の前面１６ａ，１７ａに取り付け、全てのカムフォロア１８ａ，１８ｂが、奥側から手前側に向けて突出する構成にしている。
【００２７】
トップシール装置１の上流側に配置される第一支持部材１３は、機枠４の上流側の下方に連結され、トップシール装置１側に固定される。第一支持部材１３は、フィルム搬送方向に対して直交する方向に延びる２本の第一ガイドロッド２０と、その２本の第一ガイドロッド２０の両端を支持する一対の支持板２１を備える。一対の支持板２１は、機枠４に対してボルト等を用いて固定される。支持板２１に装着された２本の第一ガイドロッド２０は、所定の間隔をおいて平行に配置され、同一高さに位置する。
【００２８】
第一ガイドロッド２０の両端は、支持板２１を貫通してその外側に突出するように配置する。そして、２本の第一ガイドロッド２０の同じ側の先端同士は、連結板２３にて連結される。また２本の第一ガイドロッド２０は、ネジ等により支持板２１に対し回転不能に固定される。
【００２９】
第一ガイドロッド２０の装置の手前側の支持板２１から突出している先端部分には、側周面の一部をカットした平面部位２０ａを設ける。この平面部位２０ａは、上記の第一ガイドロッド２０を支持板２１に固定した状態で、フィルム搬送方向に沿った前後に、垂直方向に延びるとともにフィルム搬送方向に対して直交するように形成する。これにより、前後の平面部位２０ａは、所定の間隔を置いて平行に位置する。また、平面部位２０ａの形成位置は、支持板２１から少し離した位置にしており、平面部位２０ａと支持板２１との間には平面部位２０ａ未形成の円柱状の第一ガイドロッド２０の本体部分が位置する。
【００３０】
同様に、第一ガイドロッド２０の装置の奥側の支持板２１の内側であってその支持板２１の近傍位置にも、側周面の一部をカットした平面部位２０ａを設ける。この平面部位２０ａは、上記の第一ガイドロッド２０を支持板２１に固定した状態で、フィルム搬送方向に沿った前後に、垂直方向に延びるとともにフィルム搬送方向に対して直交するように形成する。これにより、前後の平面部位２０ａは、所定の間隔を置いて平行に位置する。さらにこの平面部位２０ａの形成位置は、支持板２１から少し離した位置にしており、平面部位２０ａと支持板２１との間には平面部位２０ａ未形成の円柱状の第一ガイドロッド２０の本体部分が位置する。
【００３１】
さらに、図１，図３，図４等に示すように、第一ガイドロッド２０の平面部位２０ａを設けた部分の下方には、２本の第一ガイドロッド２０を渡るように第一連結プレート４２の移動を規制する段差が設けられたプレート２９を配置する。そのプレート２９は、下方に突出する２つのノブネジ２８を正逆回転することに伴い昇降可能に構成する。係る昇降可能な構成は、例えば、ノブネジ２８のねじ部を第一ガイドロッド２０等に連携させるとともに、ねじ部をプレート２９に設けた貫通孔に貫通させる。その状態でノブネジ２８を正逆回転させると、ノブネジ２８自体が昇降し、それに追従してプレート２９も昇降する。そして、ノブネジ２８を所定方向に回すとプレート２９が上昇し、支持板２１に近接させた第一連結プレート４２の手前側に、当該段差が位置し、第一連結プレート４２の手前側への移動を抑止する。またその状態からノブネジ２８を逆側に回転するとプレート２９が下降し第一連結プレート４２の移動が可能となる。これらプレート２９とノブネジ２８等により固定手段たるロック機構が構成される。
【００３２】
ロック機構の別の構成としては、例えば、図５，図６等に示すように、第一ガイドロッド２０の平面部位２０ａを設けた部分の下方には、２本の第一ガイドロッド２０を渡るようにベース部材２５を配置する。このベース部材２５の上面の中央部位には、凹溝２５ａが形成され、その凹溝２５ａ内に矩形状のストッパー部材２６が挿入配置される。このストッパー部材２６の厚さは、凹溝２５ａの深さと同じか薄く設定し、ストッパー部材２６が凹溝２５ａ内に完全に収納された状態では、ストッパー部材２６の上面はベース部材２５の上面より上方に突出しない。また、ストッパー部材２６の短辺の長さは、凹溝２５ａの横幅よりも短い設定にし、ストッパー部材２６を凹溝２５ａ内に装着した際に、ストッパー部材２６の奥側と支持板２１との間に所定の空間が確保されるようにする。これらストッパー部材２６並びにそれを昇降する機構により固定手段たるロック機構が構成される。
【００３３】
一方、図示省略するが、凹溝２５ａの底面中央には、ベース部材２５の下面に貫通する貫通孔が形成され、その貫通孔内にベース部材２５の下面側から操作ハンドル２７に取り付けたネジ軸２７ａを挿入し、そのネジ軸２７ａの先端を凹溝２５ａに位置させ、ストッパー部材２６と連結する。そして、操作ハンドル２７を正逆回転させると、ストッパー部材２６が凹溝２５ａに対して相対的に昇降し、ストッパー部材２６の上面がベース部材２５の上面から非突出の待機位置と、ベース部材２５の上面から上方に突出する動作位置をとる。
【００３４】
第一コンベアユニット１１は、搬送路の左右に配置される一対の第一固定フレーム３１と、その一対の第一固定フレーム３１の下流側にそれぞれ配置される左右一対の第一移動フレーム３２と、左右一対の第一固定フレーム３１間の上流端側に回転可能な状態で軸受け支持される駆動ローラ３３と、左右一対の第一固定フレーム３１間並びに第一移動フレーム３２間の適宜位置に回転可能な状態で軸受け支持されるフリーローラ３４と、それら駆動ローラ３３並びにフリーローラ３４に適宜の順に掛け渡すエンドレスベルト３５等を備える。駆動ローラ３３の奥側の先端にはギヤ３６が装着され、図示省略の駆動モータの出力軸に連係する動力伝達機構のギヤに噛み合い、当該駆動ローラ３３は、駆動モータの駆動力を受けて回転する。
【００３５】
また、第一移動フレーム３２は、搬送方向に沿って前後方向に移動可能に配置されている。さらに、第一移動フレーム３２の外面には、第一スライダ３８を固定し、その第一スライダ３８を、下流側先端が第一カム板４０に連結され搬送方向に沿って水平方向に延びる第一ガイドレール３９に移動可能に装着する。第一スライダ３８の固定部材３８ａを緩めると、第一スライダ３８はフリー状態となって第一ガイドレール３９に沿って搬送方向と平行な方向に往復移動し、固定部材３８ａを締めると第一スライダ３８は固定され移動不能となる。
【００３６】
また第一カム板４０には、上下方向に延びる所定パターンのカム溝４０ａを備える。カム溝４０ａは、上方区間が垂直方向に延び、下方区間は徐々に上流側すなわちトップシール装置１から離れる方向に延びるようなパターンとする。この左右一対の第一カム板４０に設けたカム溝４０ａ内にそれぞれ第一取付板１６と第二取付板１７の上流側先端に取り付けた第一カムフォロア１８ａを挿入し、カム機構を構成する。
【００３７】
係るカム機構により、例えば下側のトップシーラ２ｂが高さを一定の状態で前後進移動すると、カム機構を介して連係される第一移動フレーム３２のトップシール装置１側の先端位置がトップシーラ２ｂと同期して両者の位置関係を維持しながら前後進移動する。そして下側のトップシーラ２ｂの昇降移動に伴い、第一移動フレーム３２のトップシール装置１側の先端位置はトップシーラ２ｂに対して接近離反移動する。すなわち、下側のトップシーラ２ｂが上昇し、第一カムフォロア１８ａがカム溝４０ａの上方区間に位置すると、第一移動フレーム３２のトップシール装置１側の先端位置は、トップシール装置１に対して後退し、下側のトップシーラ２ｂから離反した位置となり、下側のトップシーラ２ｂが下降し、第一カムフォロア１８ａがカム溝４０ａの下方区間に位置すると、第一移動フレーム３２のトップシール装置１側の先端位置は、トップシール装置１に対して前進し、下側のトップシーラ２ｂの上方に重なる位置となる。
【００３８】
また、上述したように第一スライダ３８を第一ガイドレール３９に沿って往復移動すると、それに追従して、第一コンベアユニット１１は、カム機構を介してトップシール装置１に連係された状態のまま、トップシーラ２ｂの動きと関係なく非同期で下流側の先端位置をトップシール装置１に対して接近離反させることができる。
【００３９】
さらに第一固定フレーム３１には、下方に突出するように第一連結プレート４２を連結する。第一連結プレート４２は、平板からなり、その下端の所定位置に切り込み部４３を２個形成する。この切り込み部４３は円形の孔部４３ａとその孔部４３ａと第一連結プレート４２の下端縁とを繋ぐ開口部４３ｂとを備える。孔部４３ａの内径は、第一ガイドロッド２０の外径と等しいか若干大きい設定にする。開口部４３ｂは、その開口幅ｔが、第一ガイドロッド２０に設けた一対の平面部位２０ａ間の間隔ｗと等しいか若干長くしている。さらに、２個の孔部４３ａの相対位置関係は、２本の第一ガイドロッド２０の相対位置関係と等しくしている。
【００４０】
このようにすることで、例えば図４に示すように、２個の切り込み部４３の開口部４３ｂを、それぞれ第一ガイドロッド２０の平面部位２０ａを設けた区間に対向配置すると、開口部４３ｂを通って第一ガイドロッド２０（平面部位２０ａの形成区間)は孔部４３ａ内に出入り可能となる。さらに、第一ガイドロッド２０の平面部位２０ａの未形成領域に孔部４３ａが位置する状態では、開口部４３ｂの開口幅ｔは、第一ガイドロッド２０の外径よりも狭く、第一ガイドロッド２０から第一連結プレート４２ひいては第一コンベアユニット１１は離脱しない。
【００４１】
さらに、上述したように、ストッパー部材２６の奥側と支持板２１との間に所定の空間が確保されるが、係る空間の奥行きすなわちストッパー部材２６と支持板２１との間の間隔は、第一連結プレート４２の厚さと等しくしている。これにより、第一ガイドロッド２０を孔部４３ａ内に挿入し、第一連結プレート４２を支持板２１側に近接した状態では、第一連結プレート４２の手前側で、ストッパー部材２６が昇降移動可能となる。そして、操作ハンドル２７を操作してストッパー部材２６を上昇移動させると、第一連結プレート４２は、ストッパー部材２６と支持板２１で挟まれた状態になり、移動が阻止される。
【００４２】
上述した構成を採ることで、第一コンベアユニット１１は、第一カム板４０を取り付けた状態のまま第一支持部材１３に対して着脱することができ、しかも、装着した際には、所望の位置に精度良く配置・固定することができる。具体的には、以下のようにして着脱を行う。
【００４３】
例えば図６（ａ）に示すように、第一コンベアユニット１１が第一支持部材１３上にセットされた正規の運転状態から第一コンベアユニット１１を取り外す場合、まず、操作ハンドル２７を操作し、ストッパー部材２６を下降移動し、ストッパー部材２６の上面をベース部材２５の上面以下に位置させる。これにより、ストッパー部材２６によるロックが解除され、第一連結プレート４２が、第一ガイドロッド２０に沿って移動可能な状態になる。すなわち、ロックが解除された状態では、左右の第一連結プレート４２は、それぞれ奥側に支持板２１が存在し、手前側のストッパー部材２６がなくなるため、装置の手前側に移動可能となる。
【００４４】
次いで、第一連結プレート４２を第一ガイドロッド２０に沿って手前側に移動させ、第一連結プレート４２を第一ガイドロッド２０の平面部位２０ａに位置させる（図６（ｂ）参照）。
【００４５】
そして本実施形態では、第一カムフォロア１８ａを第一取付板１６の前面１６ａと第二取付板１７の前面１７ａにそれぞれ取り付け、第一取付板１６と第二取付板１７の何れに対しても手前側に突出するようにしたため、両第一カムフォロア１８ａに対する搬送方向の左右両側に配置した一対の第一カム板４０の離脱方向は、ともに同一方向で装置の手前側となる。よって、第一コンベアユニット１１は、上記のように第一連結プレート４２を手前側に移動することで、一対の第一カム板４０を取り付けた状態のままカム溝４０ａから第一カムフォロア１８ａを離脱させることができ、カム機構の連係解除も同時に行える。また、この移動に伴い、駆動ローラ３３の一端に連結されたギヤ３６も、図示省略の動力伝達機構のギヤとの噛み合いが解除される。
【００４６】
また、本実施形態では、２本の第一ガイドロッド２０の手前側にそれらを連結する連結板２３を配置しているので、第一コンベアユニット１１を手前側に移動した際のストッパーとして機能し、第一コンベアユニット１１がそのまま手前側に脱落してしまうのを防止する。
【００４７】
次いで、第一コンベアユニット１１を上方に持ち上げると、切り込み部４３の孔部４３ａ内に位置する第一ガイドロッド２０は、平面部位２０ａが開口部４３ｂ内を通過し、切り込み部４３から離脱する（図６（ｃ），図４参照）。よって、第一コンベアユニット１１は、第一支持部材１３上から取り外すことができる。
【００４８】
そして、上記と逆の手順を行うことで、第一コンベアユニット１１を第一支持部材１３上の所定位置にセットする。この第一コンベアユニット１１を第一支持部材１３上の所定位置にセットする際、第一コンベアユニット１１のカム溝４０ａと第一カムフォロア１８ａとの搬送方向位置を合わせた状態で、第一コンベアユニット１１を奥側に向けて、フィルム搬送方向に対して直交する方向に移動して、カム溝４０ａに第一カムフォロア１８ａを係合させる。このとき、第一コンベアユニット１１は、２本の第一ガイドロッド２０に沿ってフィルム搬送方向に対して直交する方向に安定した姿勢で移動し、第一連結プレート４２を支持板２１に突き当てた状態に位置させると、トップシール装置１に対する第一コンベアユニット１１のエンドレスベルト３５のベルト面を所望の相対位置関係になる。つまり、当該ベルト面を水平で、搬送方向に対して平行になる。そして、操作ハンドル２７を操作してストッパー部材２６を上昇移動させると、第一コンベアユニット１１を上記の所望の相対位置関係の状態でロックされる。
【００４９】
さらに本実施形態では、２本の第一ガイドロッド２０の手前側にそれらを連結する連結板２３を配置しているので、その連結板２３は第一連結プレート４２を第一ガイドロッド２０の平面部位２０ａに位置させるための位置決め手段として機能する。
【００５０】
このように第一コンベアユニット１１の第一支持部材１３に対する着脱を行うに際し、操作ハンドル２７の正逆回転を行うことで第一連結プレート４２ひいては第一コンベアユニット１１の第一支持部材１３へのロック／アンロック（解除）を行うことができ、ロックを解除したアンロック状態では、第一カム板４０等を取り外すことなく、そのまま第一コンベアユニット１１をフィルム搬送方向に対して直交する方向に移動させることができるので、第一コンベアユニット１１の第一支持部材１３からの取り外しや装着が簡単に行える。しかも、第一コンベアユニット１１を第一支持部材１３に装着する場合、２本の第一ガイドロッド２０に、左右一対の第一連結プレート４２にそれぞれ設けた２個の孔部４３ａを装着することで、特別な調整等を行うことなく第一コンベアユニット１１の姿勢・向きを、トップシール装置１に対して適切な相対位置にすることができる。そして、操作ハンドル２７を回転操作するだけで、上記の適切な相対位置に設置した第一コンベアユニット１１をロックし、例えばネジ止め不良などに伴う固定不良が生じることなく運転中のガタツキなど生じないようにすることができる。
【００５１】
トップシール装置１の下流側に配置した第二コンベアユニット１２と第二支持部材１４の構成は、上述した第一コンベアユニット１１と第一支持部材１３の構成と同様の構成を取る。すなわち、第二支持部材１４は、機枠４の下流側の下方に連結され、トップシール装置１側に固定される。第二支持部材１４は、フィルム搬送方向に対して直交する方向に延びる２本の第二ガイドロッド５０と、その２本の第二ガイドロッド５０の両端を支持する一対の支持板５１を備える。一対の支持板５１は、機枠４に対してボルト等を用いて固定される。支持板５１に装着された２本の第二ガイドロッド５０は、所定の間隔をおいて平行に配置され、同一高さに位置する。
【００５２】
第二ガイドロッド５０の両端は、支持板５１を貫通してその外側に突出し、同じ側の先端同士は、連結板５３にて連結される。また２本の第二ガイドロッド５０は、ネジ等により支持板５１に対し回転不能に固定される。
【００５３】
第二ガイドロッド５０の装置の手前側の支持板５１から突出している先端部分並びに奥側の支持板５１の内側であってその支持板５１の近傍位置には、側周面の一部をカットした平面部位５０ａを設ける。この平面部位５０ａは、第一ガイドロッド２０に形成した平面部位２０ａと同様に、搬送方向の前後に所定の間隔を置いて平行に形成する。そして、この第二ガイドロッド５０の手前側の先端側には、第二コンベアユニット１２上にセットされた第二コンベアユニット１２をロック／アンロックする所定のロック機構を備える。
【００５４】
第二コンベアユニット１２は、搬送路の左右に配置される一対の第二固定フレーム６１と、その一対の第二固定フレーム６１の上流側にそれぞれ配置される左右一対の第二移動フレーム６２と、左右一対の第二固定フレーム６１間の上流端側に回転可能な状態で軸受け支持される駆動ローラ６３と、左右一対の第二固定フレーム６１間並びに第二移動フレーム６２間の適宜位置に回転可能な状態で軸受け支持されるフリーローラ６４と、それら駆動ローラ６３並びにフリーローラ６４に適宜の順に掛け渡すエンドレスベルト６５等を備える。駆動ローラ６３の奥側の先端にはギヤが装着され、図示省略の駆動モータの出力軸に連係する動力伝達機構のギヤに噛み合い、当該駆動ローラ６３は、駆動モータの駆動力を受けて回転する。
【００５５】
また、第二移動フレーム６２は、搬送方向に沿って前後方向に移動可能に配置されている。さらに、第二移動フレーム６２の外面には、第二スライダ６８を固定し、その第二スライダ６８を、上流側先端が第二カム板７０に連結され搬送方向に沿って水平方向に延びる第二ガイドレール６９に移動可能に装着する。第二スライダ６８の固定部材６８ａを緩めると、第二スライダ６８はフリー状態となって第二ガイドレール６９に沿って搬送方向と平行な方向に往復移動し、固定部材６８ａを締めると第二スライダ６８は固定され移動不能となる。
【００５６】
また第二カム板７０には、上下方向に延びる所定パターンのカム溝７０ａを備える。カム溝７０ａは、上方区間が垂直方向に延び、下方区間は徐々に下流側すなわちトップシール装置１から離れる方向に延びるようなパターンとする。この左右一対の第二カム板７０に設けたカム溝７０ａ内にそれぞれ第一取付板１６と第二取付板１７の下流側先端に取り付けた第二カムフォロア１８ｂを挿入し、カム機構を構成する。
【００５７】
係るカム機構により、例えば下側のトップシーラ２ｂが高さを一定の状態で前後進移動すると、カム機構を介して連係される第二移動フレーム６２のトップシール装置１側の先端位置がトップシーラ２ｂと同期して両者の位置関係を維持しながら前後進移動し、下側のトップシーラ２ｂの昇降移動に伴い、第二移動フレーム６２のトップシール装置１側の先端位置はトップシーラ２ｂに対して接近離反移動する。
【００５８】
また、上述したように第二スライダ６８を第二ガイドレール６９に沿って往復移動すると、それに追従して、第二コンベアユニット１２は、カム機構を介してトップシール装置１に連係された状態のまま、トップシーラ２ｂの動きと関係なく非同期で上流側の先端位置をトップシール装置１に対して接近離反させることができる。
【００５９】
さらに第二固定フレーム６１には、下方に突出するように第二連結プレート７２を連結する。第二連結プレート７２は、平板からなり、その下端の所定位置に切り込み部７３を２個形成する。この切り込み部７３は円形の孔部７３ａとその孔部７３ａと第二連結プレート７２の下端縁とを繋ぐ開口部７３ｂとを備える。孔部７３ａの内径は、第二ガイドロッド５０の外径と等しいか若干大きい設定にする。開口部７３ｂは、その開口幅ｔが、第二ガイドロッド５０に設けた一対の平面部位５０ａ間の間隔ｗと等しいか若干長くしている。さらに、２個の孔部７３ａの相対位置関係は、２本の第二ガイドロッド５０の相対位置関係と等しくしている。
【００６０】
具体的な図示は省略するが、この第二コンベアユニット１２を第二支持部材１４に対して着脱するには、上述した第一コンベアユニット１１の第一支持部材１３に対する着脱と同様に行う。すなわち、例えば第二コンベアユニット１２が第二支持部材１４にセットされた状態から第二コンベアユニット１２を取り外す場合、所定のロック機構を操作して、第二連結プレート７２ひいては第二コンベアユニット１２の第二支持部材１４へのロック状態を解除してアンロック状態にする。このアンロック状態で、第二カム板７０等を取り外すことなく、そのまま第二コンベアユニット１２をフィルム搬送方向に対して直交する方向に移動させ、切り込み部７３の開口部７３ｂを、第二ガイドロッド５０の平面部位５０ａに位置させる。その状態で、第二コンベアユニット１２を上方に持ち上げると、そのまま第二連結プレート７２の切り込み部７３は第二ガイドロッド５０から離脱し、第二コンベアユニット１２は第二支持部材１４から分離される。
【００６１】
一方、第二コンベアユニット１２を第二支持部材１４に装着する場合、左右の第二連結プレート７２に設けた２個の切り込み部７３の開口部７３ｂを、２本の第二ガイドロッド５０の各平面部位５０ａの上方に位置合わせをした状態で、第二コンベアユニット１２を下降移動する。すると、切り込み部７３の孔部７３ａ内に第二ガイドロッド５０が挿入される。このとき、第二ガイドロッド５０が挿入される孔部７３ａは、左右の第二連結プレート７２にそれぞれ２カ所に設けられており、仮想の長方形の４つの頂点に位置している。よって、上記のように第二ガイドロッド５０に第二連結プレート７２を装着すると第二コンベアユニット１２は、所望の姿勢で第二支持部材１４上に支持されることになる。所望の姿勢・向きは、例えば、搬送路を構成するエンドレスベルト６５の上面側のベルト面が、水平で、トップシール装置１を通過して搬出されるフィルムの搬送方向と平行な姿勢である。そして、第二コンベアユニット１２を第二ガイドロッド５０に沿って装置の奥側に向けて、フィルム搬送方向に対して直交する方向に移動する。この移動時、第二コンベアユニット１２は、平行に配置された２本の第二ガイドロッド５０により安定して、姿勢・向きを維持しながら移動する。そして、左右の第二連結プレート７２を、それぞれの奥側に位置する支持板５１に接触させる。この状態で、ロック機構（例えば、ノブネジ５８とプレート５９）を操作し、ロック状態にし、第二連結プレート７２の第二ガイドロッド５０に沿った移動を抑止する。
【００６２】
このようにして第二コンベアユニット１２の第二支持部材１４からの取り外しや装着が簡単に行える。しかも、第二コンベアユニット１２を第二支持部材１４に装着する場合、上述したように２本の第二ガイドロッド５０に、左右一対の第二連結プレート７２にそれぞれ設けた２個の孔部７３ａを装着することで、特別な調整等を行うことなく第二コンベアユニット１２の姿勢・向きを、トップシール装置１に対して適切な相対位置にすることができる。そして、上記の適切な相対位置に設置した第二コンベアユニット１２をロック機構によりロックし、例えばネジ止め不良などに伴う固定不良が生じることなく運転中のガタツキなど生じないようにすることができる。
【００６３】
また、上述した実施形態の搬送ベルト装置は、第一コンベアユニット１１や第二コンベアユニット１２をそれぞれ第一支持部材１３や第二支持部材１４から取り外すことなく、以下の手順等により日々の清掃等を行うこともできる。例えば、固定手段たる固定部材３８ａ，６８ａを操作して第一スライダ３８や第二スライダ６８が移動可能な状態にする。一方、例えば、上下のトップシーラ２ａ，２ｂが離反した所定の位置で一時停止させ、その状態で第一スライダ３８や第二スライダ６８をトップシール装置１から離反する方向に移動する。これにより、第一コンベアユニット１１や第二コンベアユニット１２は、その先端位置をトップシーラ２ａ，２ｂから離反する方向に移動し、トップシーラ２ａ，２ｂのシール面の周囲に清掃時における充分なスペースを確保する。よって、作業員は、安全に容易にトップシーラのシール面の清掃が行える。清掃終了後は、上記と逆に、第一コンベアユニット１１，第二コンベアユニット１２の先端部側をトップシーラ２ａ，２ｂに接近する方向に移動させ、通常の運転動作位置に復帰させ、固定部材３８ａ，６８ａを操作して第一スライダ３８や第二スライダ６８を第一ガイドレール３９や第二ガイドレール６９に対して固定する。よって、それ以後、第一コンベアユニット１１，第二コンベアユニット１２は、トップシーラ２ｂの移動に同期して前後進移動し、所望の搬送処理を行う。
【００６４】
第二コンベアユニット１２と第二支持部材１４を固定するロック機構は、第一コンベアユニット１１と第一支持部材１３を固定するロック機構と同じでも良いし、異ならせてもよい。
【００６５】
上述した実施形態では、カム機構を搬送方向の左右両側に設けたが、片方に設けても良い。但し、両側に設けた方が、コンベアユニットとトップシール装置とをしっかりと連係できるので好ましい。
【００６６】
以上、本発明の様々な側面を実施形態を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００６７】
１      ：トップシール装置
２ａ    ：トップシーラ
２ｂ    ：トップシーラ
１０    ：搬送ベルト装置
１１    ：第一コンベアユニット
１２    ：第二コンベアユニット
１３    ：第一支持部材
１４    ：第二支持部材
１５    ：連係部材（カム機構）
１６    ：第一取付板
１７    ：第二取付板
１８ａ  ：第一カムフォロア
１８ｂ  ：第二カムフォロア
２０    ：第一ガイドロッド
２０ａ  ：平面部位
２５    ：ベース部材
２５ａ  ：凹溝
２６    ：ストッパー部材
２７    ：操作ハンドル
３８    ：第一スライダ
３８ａ  ：固定部材
３９    ：第一ガイドレール
４０    ：第一カム板
４０ａ  ：カム溝
４２    ：第一連結プレート
４３    ：切り込み部
５０    ：第二ガイドロッド
５０ａ  ：平面部位
６５    ：エンドレスベルト
６８    ：第二スライダ
６８ａ  ：固定部材
６９    ：第二ガイドレール
７０    ：第二カム板
７０ａ  ：カム溝
７２    ：第二連結プレート
７３    ：切り込み部
【図１】
2020050454.tif 000003
【図２】
2020050454.tif 000004
【図３】
2020050454.tif 000005
【図４】
2020050454.tif 000006
【図５】
2020050454.tif 000007
【図６】
2020050454.tif 000008